(57)【特許請求の範囲】
【請求項１】
警報出力往路には警報器イネーブルスイッチと未接続検知回路を備え、警報出力復路には未接続イネーブルスイッチと警報器検知回路を備え、前記未接続検知回路には未接続イネーブルスイッチの動作タイミングに同期して開閉する内部電流防止回路とを備えたガス保安装置の警報器入出力装置。
【発明の詳細な説明】
【０００１】
【発明の属する技術分野】
本発明はガス供給路に使用するガス保安装置の警報器入出力装置に関するものである。
【０００２】
【従来の技術】
近年、都市ガスやＬＰガスが安全に使用されることを目的として、燃料ガス（以下、ガスという）の使用量を計測して異常に使用量が増えた場合や、通常の使用状態と大きく掛け離れた時間使用されていることを検知すると、ガス通路を遮断する保安装置付ガスメーターが普及しつつある。
【０００３】
この種の保安装置付ガスメーターは、ガス流量の検出信号を制御回路に取り込み、内部のマイクロコンピュータで処理してガス流量を監視し、異常があれば遮断信号を出力し、遮断弁を閉止する。保安装置付ガスメーターにはリチウム電池等の長期信頼性の高い電源用電池を備え、回路の電流と遮断弁の駆動電流を供給し、保安装置付ガスメーターの設置使用期間中は電池交換不要という特性を有している。
【０００４】
さらに、ガス漏れ事故を防止する目的で、付加機能として、ガス漏れ警報器を接続・連動させて、ガス漏れ検知時には上記同様に遮断弁を閉止する機能を備えるものもある。
【０００５】
警報器入出力信号の形式には、警報器の出力信号を単に取り込むだけの単方向のものと、警報器の出力信号を取り込む一方、ガスメータから警報器にアンサ信号を返す双方向のものがあり、双方向のものには、警報器の接続の有無が検知できる、未接続検知機能が付いたものがある。
【０００６】
図３は従来の警報器入出力回路を示す構成図で、警報器イネーブルスイッチ１は入力Ｋ−ＥＮの指令で警報出力往路＋に警報サンプリング信号を出力する。警報出力復路−には警報器検知回路４が備わり、警報サンプリング信号の帰りを監視し、警報器の内部構成部品であるホトトランジスタ１１が導通したとき警報器動作を検知する。
【０００７】
未接続イネーブルスイッチ３は入力ＡＭ−ＥＮの指令で警報出力復路−に未接続検知サンプリング信号を出力する。警報出力往路には未接続検知回路２が備わり、未接続検知サンプリング信号の帰りを監視し、警報器の内部構成部品であるホトダイオード１２の接続を検知して警報器接続の有無を判定する。未接続検知回路２の入力抵抗Ｒ３，Ｒ４は、ホトダイオード１２の導通が確認できる程度の少電流しか流さないように設定している。
【０００８】
未接続イネーブルスイッチ３はアンサイネーブルスイッチもかねており、警報器にアンサ信号を返す場合は、警報器アンサ回路６と連動して導通し、ホトダイオード１２にアンサ信号を流す。警報器アンサ回路６の負荷抵抗Ｒ５はホトダイオード１２を発光するに充分な電流が得られるように設定している。
【０００９】
【発明が解決しようとする課題】
しかしながら上記従来の構成では次のような課題があった。
【００１０】
（１）従来の警報器入出力装置で、特に上記の双方向で未接続検知機能を有するものでは、警報出力往路＋に警報サンプリング信号が印加され、同じく往路＋に備わる未接続検知回路２にも同様に警報サンプリング信号が印加されるため、未接続検知回路２に警報サンプリング信号電流が流れ、不要な内部電流ｉを消費していた。
【００１１】
（２）双方向の入出力信号の形式を採るが、未接続検知を必要としないものの場合、従来は未接続検知回路２のみを省略して対応していたが、この場合不要な内部電流ｉはないものの、警報器イネーブルスイッチ１をドライブするための電流が必要で、警報器動作検知はサンプリング頻度が高いため、このための電流も電池を電源とする機器にとっては決して無視出来るものではなかった。
【００１２】
【課題を解決するための手段】
本発明のガス保安装置の警報器入出力装置は、警報器イネーブルスイッチ及び未接続検知回路を有する警報出力往路と、未接続イネーブルスイッチ及び警報器検知回路を有する警報出力復路とから成り、前記未接続検知回路には前記未接続イネーブルスイッチの動作タイミングに同期して開閉する内部電流防止回路を備えたものである。
【００１３】
この本発明によれば、消費電流を低減し、電池寿命を延長することができる。
【００１４】
【発明の実施の形態】
本発明のガス保安装置の警報器入出力装置の手段は、警報出力往路に警報器イネーブルスイッチと未接続検知回路を備え、警報出力回路復路には未接続イネーブルスイッチと警報器検知回路を備え、前記未接続検知回路には未接続イネーブルスイッチの動作タイミングに同期して開閉する内部電流防止回路とを備える構成である。
【００１５】
また、警報出力往路に電流制限抵抗と警報器アンサ回路を備え、警報出力復路には警報器アンサイネーブルスイッチと警報器検知回路とを備える構成である。
【００１６】
そして、本発明のガス保安装置の警報器入出力装置は、警報出力往路に備わる内部電流防止回路が、警報器イネーブルスイッチの動作タイミングと異なる未接続イネーブルスイッチの動作タイミングで働き、警報器イネーブルスイッチから印加される警報サンプリング信号が未接続検知回路に印加されるのを防ぐため、警報器サンプリング信号による不要な内部電流を防止する。
【００１７】
また、警報出力往路には電流制限抵抗を通じて常時、電圧が印加されるが、警報器非動作時の警報器出力回路の洩れ電流が少く、支障なく警報器イネーブルスイッチを省略でき、このため警報器イネーブルスイッチをドライブする電流が低減できる。
【００１８】
以下本発明のガス保安装置の警報器入出力装置の実施例について図面を参照しながら説明する。
【００１９】
図１は本発明の一実施例におけるガス保安装置の入出力装置の一実施例を示す構成図で、警報出力往路＋と未接続検知回路２の間に内部電流防止回路５を挿入している。
【００２０】
内部電流防止回路５の入力は未接続イネーブルスイッチ３の入力ＡＭ−ＥＮと共通で、未接続イネーブルスイッチ３の動作タイミングに同期して内部電流防止回路５も開閉する。
【００２１】
警報器イネーブルスイッチ１の入力Ｋ−ＥＮと未接続イネーブルスイッチ３の入力ＡＭ−ＥＮの動作タイミングは違えてあり、警報器イネーブルスイッチ１が導通時には内部電流防止回路５は非導通で、警報サンプリング信号が未接続検知回路２に印加されるのを防ぎ、不要な内部電流ｉが流れるのを防止している。
【００２２】
図２は本発明の他の実施例におけるガス保安装置の入出力装置の一実施例を示す構成図で、従来例を示す図１の構成から未接続検知回路２を省略し、警報器イネーブルスイッチ１を電流制限抵抗７に置き換えている。
【００２３】
警報出力往路には電流制限抵抗７を通じて常時、電圧が印加されるが、警報器が非作動の状態では警報器内部のホトトランジスタ１１はオフで洩れ電流も少なく、又警報器アンサ回路６も警報器アンサ動作以外はオフしているので電流をほとんど消費しない。警報器イネーブルスイッチのドライブ電流がない分消費電流が低減される。
【００２４】
電流制限抵抗７は警報器アンサ動作時、電源から直接警報器アンサ回路６に流れる電流を制限するためのもので、警報器アンサ回路６の負荷抵抗Ｒ５に比べ充分大きな値を設定しておく。警報器アンサ回路の動作頻度が低いのと、電流制限抵抗７の抵抗値が負荷抵抗Ｒ５に比べ大きいので、内部電流は問題とならない。
【００２５】
以上の説明から明らかのように本発明の実施例によればガス保安装置の警報器入出力装置によれば次の効果が得られる。
【００２６】
内部電流防止回路が電源用電池の消耗を低くおさえるので電池の容量を小さく設計することが可能となり、より安価に機器を提供することが出来る。
【００２７】
又、警報器イネーブルスイッチが省略できるので、警報器イネーブルスイッチに要する部品コストが低減でき、より安価に機器を提供することをが出来る。あわせて、警報器イネーブルスイッチをドライブする電流が不要なため、電池寿命を延ばすことができる。
【００２８】
【発明の効果】
本発明のガス保安装置の警報器入出力装置は、内部電流防止回路が電源用電池の消耗を低くおさえるので電池の容量を小さく設計することが可能となり、より安価に機器を提供することができる。
【図面の簡単な説明】
【図１】  本発明の一実施例のガス保安装置の警報器入出力装置の回路図
【図２】  本発明の他の実施例のガス保安装置の警報器入出力装置の回路図
【図３】  従来のガス保安装置の警報器入出力装置の回路図
【符号の説明】
１  警報器イネーブルスイッチ
２  未接続検知回路
３  未接続イネーブルスイッチ
４  警報器検知回路
５  内部電流防止回路
６  警報器アンサ回路
【図１】
0003687172.tif 000002
【図２】
0003687172.tif 000003
【図３】
0003687172.tif 000004